(57)【特許請求の範囲】
【請求項１】
ドクタービーム（３）、クランピングレール（５）、およびドクターブレード（４）を、前記クランピングレール（５）と前記ドクタービーム（３）間に前記ドクターブレード（４）を締結挟持するためのクランピング装置と共に含み、前記クランピング装置が前記クランピングレール（５）と前記ドクタービーム（３）間の機械的連結を形成し、前記機械的連結が前記ドクターブレード（４）の全長にわたって連続している印刷機用ドクターブレードシステムにおいて、前記クランピング装置は前記ドクターブレード（４）が前記クランピングレール（５）と前記ドクタービーム（３）間にもはや挟持されないようにする、作動によりその挟持に反作用する変位機構を更に含み、
前記クランピング装置は前記クランピングレール（５）内のＴ形溝（１５）と係合する第一側、および前記ドクタービーム（３）内のＴ形溝（１４）と係合する第二側（１８）を有する剛性レール部（１６）を含み、
前記ドクタービーム（３）のＴ形溝（１４）内で前記剛性レール部（１６）の第二側（１８）を前記ドクタービーム（３）のＴ形溝（１４）の底（２１）に対する方向へ変位させることにより、前記ドクターブレード（４）を、前記ドクタービーム（３）と前記クランピングレール（５）間に挟持し、
前記変位機構は、前記ドクターブレード（４）を弛緩するために、前記ドクタービーム（３）内の前記剛性レール部（１６）の第二側（１８）を前記ドクタービーム（３）のＴ字形溝（１４）の底（２１）から離れる方向へ押圧することを特徴とする、ドクターブレードシステム。
【請求項２】
前記クランピング装置は、前記ドクタービーム（３）のＴ形溝（１４）の底（２１）と反対の前記ドクタービーム（３）のＴ形溝（１４）の壁（１９）と、前記剛性レール部（１６）との間に設置された少なくとも１つの弾性要素（２０，２６，２７）を含み、前記弾性要素（２０，２６，２７）は膨張により前記ドクタービーム（３）のＴ形溝（１４）の底（２１）に向かう方向へ前記剛性レール部（１６）を押圧すようになっていることを特徴とする、請求項１によるドクターブレードシステム。
【請求項３】
ドクタービーム（３）、クランピングレール（５）、およびドクターブレード（４）を、前記クランピングレール（５）と前記ドクタービーム（３）間に前記ドクターブレード（４）を締結挟持するためのクランピング装置と共に含み、前記クランピング装置が前記クランピングレール（５）と前記ドクタービーム（３）間の機械的連結を形成し、前記機械的連結が前記ドクターブレード（４）の全長にわたって連続している印刷機用ドクターブレードシステムにおいて、前記クランピング装置は前記ドクターブレード（４）が前記クランピングレール（５）と前記ドクタービーム（３）間にもはや挟持されないようにする、作動によりその挟持に反作用する変位機構を更に含み、
前記クランピング装置は前記クランピングレール（５）内のＴ形溝（１５）と係合する第一側、および前記ドクタービーム（３）内のＴ形溝（１４）と係合する第二側を有する弾性レール部（２８）を含み、前記弾性レール部（２８）の弾性収縮力は、前記ドクターブレード（４）が前記クランピングレール（５）と前記ドクタービーム（３）との間に挟持されるように前記クランピングレール（５）および前記ドクタービーム（３）を相互に向けて引っ張り、
前記変位機構は、前記ドクターブレード（４）を弛緩するために、前記ドクタービーム（３）内の前記弾性レール部（２８）の第二側（１９）を前記ドクタービーム（３）のＴ字形溝（１４）の底（２１）から離れる方向へ押圧することを特徴とする、ドクターブレードシステム。
【請求項４】
前記クランピング装置は、作動により、前記ドクタービーム（３）のＴ形溝（１４）の底（２１）と前記ドクタービーム（３）のＴ形溝（１４）内の剛性レール部（１６）との間の内空間（２２）内に過剰圧室を含むことを特徴とする、請求項１によるドクターブレードシステム。
【請求項５】
前記過剰圧室は空圧または水圧により膨張する弾性流体管（２４）を含むことを特徴とする、請求項４によるドクターブレードシステム。
【請求項６】
前記変位機構は、長軸を中心に回転可能な剛性楕円形管を含むことを特徴とする、請求項１または２によるドクターブレードシステム。
【請求項７】
ドクタービーム（３）、クランピングレール（５）、およびドクターブレード（４）を、前記クランピングレール（５）と前記ドクタービーム（３）間に前記ドクターブレード（４）を締結挟持するためのクランピング装置と共に含み、前記クランピング装置が前記クランピングレール（５）と前記ドクタービーム（３）間の機械的連結を形成し、前記機械的連結が前記ドクターブレード（４）の全長にわたって連続し、前記クランピング装置は前記ドクターブレード（４）が前記クランピングレール（５）と前記ドクタービーム（３）間にもはや挟持されないようにする、作動によりその挟持に反作用する変位機構を更に含む印刷機用ドクターブレードシステムにおいて、
前記クランピング装置は前記ドクタービーム（３）内に形成されかつ前記クランピングレール（５）に対面する壁（４０）により画定される内室（３９）を含み、かつ前記壁（４０）は前記内室（３９）に対して内方へ向かう力をもつ弾性を有し、かつ前記壁（４０）は前記クランピングレール（５）内のＴ形溝（１５）と係合する外方に向かう側（４１）にＴ形ビード部（４２）を有し、かつ前記内室（３９）は前記変位機構の作動により前記壁（４０）の外方へ変位する過剰圧室を含むことを特徴とする、ドクターブレードシステム。
【請求項８】
ドクタービーム（３）、クランピングレール（５）、およびドクターブレード（４）を、前記クランピングレール（５）と前記ドクタービーム（３）間に前記ドクターブレード（４）を締結挟持するためのクランピング装置と共に含み、前記クランピング装置が前記クランピングレール（５）と前記ドクタービーム（３）間の機械的連結を形成し、前記機械的連結が前記ドクターブレード（４）の全長にわたって連続している印刷機用ドクターブレードシステムにおいて、
前記クランピングレール（５）は前記ドクタービーム（３）内の傾斜溝（３３）と係合する縁部（３２）をクランピングレール（５）の長手に有していて、前記クランピングレール（５）が前記縁部（３２）を中心に傾斜するように構成され、前記クランピングレール（５）は前記縁部（３２）の各側に第一部（３０）および第二部（３１）を有し、
前記クランピング装置は前記クランピングレール（５）の第一部（３０）と前記傾斜溝（３３）に対峙する前記ドクタービーム（３）内の他の溝（４５）との間に設置された細長い手段（３４）を含み、
前記細長い手段（３４）は前記クランピングレール（５）の第一部（３０）および前記ドクタービーム（３）を相互から離れる方向に押圧することにより前記クランピングレール（５）が前記縁部（３２）を中心に傾斜するように構成されていて、それにより前記クランピングレール（５）の第二部（３１）が前記ドクタービーム（３）に対して押しつけられて前記ドクターブレード（４）を締結し、かつ
前記細長い手段（３４）は最大扁率によって前記ドクターブレード（４）の固定に作用する弾性楕円形管により構成され、前記楕円形管の扁率は空圧または液圧によって減少し、それにより前記ドクターブレード（４）をそれ以上固定しないことを特徴とする、ドクターブレードシステム。
【請求項９】
ドクタービーム（３）、クランピングレール（５）、およびドクターブレード（４）を、前記クランピングレール（５）と前記ドクタービーム（３）間に前記ドクターブレード（４）を締結挟持するためのクランピング装置と共に含み、前記クランピング装置が前記クランピングレール（５）と前記ドクタービーム（３）間の機械的連結を形成し、前記機械的連結が前記ドクターブレード（４）の全長にわたって連続している印刷機用ドクターブレードシステムにおいて、
前記クランピングレール（５）は前記ドクタービーム（３）内の傾斜溝（３３）と係合する縁部（３２）をクランピングレール（５）の長手に有していて、前記クランピングレール（５）が前記縁部（３２）を中心に傾斜するように構成され、前記クランピングレール（５）は前記縁部（３２）の各側に第一部（３０）および第二部（３１）を有し、
前記クランピング装置は前記クランピングレール（５）の第一部（３０）と前記傾斜溝（３３）に対峙する前記ドクタービーム（３）内の他の溝（４５）との間に設置された細長い手段（３４）を含み、
前記細長い手段（３４）は前記クランピングレール（５）の第一部（３０）および前記ドクタービーム（３）を相互から離れる方向に押圧することにより前記クランピングレール（５）が前記縁部（３２）を中心に傾斜するように構成されていて、それにより前記クランピングレール（５）の第二部（３１）が前記ドクタービーム（３）に対して押しつけられて前記ドクターブレード（４）を締結し、かつ
前記細長い手段（３４）は、その長軸を中心とする回転によって前記ドクタービーム（３）と前記クランピングレール（５）の第二部（３１）間の距離を増大、縮小する剛性楕円形管であることを特徴とする、ドクターブレードシステム。
【発明の詳細な説明】
【０００１】
本発明は請求項１の導入部に記載の印刷ユニット用ドクターブレードシステムに関する。同様に、本発明はドクターブレード用のクランピング装置に関する。
【０００２】
本願において、本発明は特にドクターブレード室に関連して説明されるが、ドクターブレードがドクタービームとドクターレール間に固定される他のドクターブレードシステムに使用できる。
【０００３】
オフセット印刷、フレキソ印刷等の回転印刷ユニットにおいて、いわゆるドクターブレード室を含むシステムが有利に使用される。ドクターブレード室はいわゆるドクターブレードによりインキ転写ローラに密に適合するインキ容器であり、そこから容器内インキはこのローラに転写され、しばしばラスタローラが印刷工程の一部を形成する他のローラへインキを転写する。
【０００４】
数メートル長に及ぶドクターブレード室は主にインキ室の壁を構成するドクタービームで構成され、その前側でインキ転写ローラに対面して開放チャンネルがあり、かつ２以上のドクターブレードがドクタービームに挟持される。これらのドクターブレードは薄く、細長いブレードであり、ドクタービームに堅く連結される一つの長手側、およびインキ転写ローラに対して一定のバネ力下で当接する反対側を有する。
【０００５】
しばしば、二つのドクターブレードがドクターブレードシステムに使用され、この場合、一方のドクターブレードはインキ転写ローラに対してインキ室を封止する作用をし、かつ他方のドクターブレードはインキ転写ローラに対してインキ室を封止すると共にインキの均一層をインキ転写ローラに供給する作用をする。これの機能は、均一かつ精確なインキ転写を達成することが困難な、開放インキ容器からインキ転写ローラがインキを採集するシステムと比較して有利である。更に、開放インキ容器は、インキの一部がインキ転写ローラの速い速度のために採集時にインキ転写ローラのまわりに飛散する欠点を有し、それにより印刷ユニットを汚染する。
【０００６】
この普通名詞にもかかわらず、ドクターブレードは合成材料により形成されてよく、印刷ユニットにおける磨滅部である。ドクターブレードは、例えばラスタローラ等のインキ転写ローラ上に当接する薄いブレードである。
【０００７】
インキ転写ローラおよびインキの品質に依存して、ドクターブレードは一日および数週間使用後に交換される。ドクターブレードの交換のために、従来技術によれば、ドクターブレード室は、通常、印刷ユニットから取り出さなければないない欠点を有する。ドクターブレード室のビーム上に設置されたクランピングレールを取り外しかつクランピングレールとドクタービーム間にドクターブレードを挟持保持するために、ドクターブレードはクランピングレールを再度取り付けた後に交換される。
【０００８】
従来技術によれば、このクランピングレールは複数のネジによりドクターブレード室のビームにネジ止めされ、いくつかの欠点を伴う。第一に、非常に多くのネジ（ドクターブレード室１メートルにつき１０個のネジ）を緩めかつ締めなければならず、交換工程を遅延させる。第二に、周知の問題であるが、ネジシステムがネジのまわりに大きな圧力を垂直に与えるためにクランピングレールがドクターブレードを実際には水平（even)に挟持しないことである。この結果、ドクターブレードはインキ転写ローラに対して水平にならず、「揺らめく（flickers)」、即ち、波のような形態になる。ドクターブレードとインキ転写ローラ間の距離の変化は、数ミクロンの単位で非常に小さいが、結果としてインキ転写ローラ上へのインキの塗布は全く均一でなく、それにより印刷の品質の低下に繋がる。更に、ネジ間領域においてインキはドクターブレードとクランピングレール間、およびドクターブレードとドクタービーム間に侵入し、更に「揺らめき」効果を増し、頻繁な清掃を必要とする。第三に、ネジを弛緩または締結するために道具が必要となる。作業時に、例えば仲間が置き間違える等により道具が交換に利用できない場合には、作業員のいらいらの大きな原因となる。
【０００９】
ドクタービームの迅速交換は米国特許第５５１７９１８号に記載されたような機構を設けることにより達成される。この特許では、ドクターブレードは一組の板バネにより固定される。板バネはドクターブレードのいくつかの上に重なり、かつドクターブレードをドクタービームに対して押圧するように予備応力を加える。ドクターブレードを交換することにより、弾性管の形態で変位機構が使用され、この弾性管は自動的に膨張してバネをドクターブレードから遠ざけ、それによりドクターブレードを解放する。
【００１０】
この変位機構は、伝統的ドクターブレード室内にクランピングレールを保持するのと同様にネジ列によりバネを締結する欠点を有する。バネが伝統的クランピングレールよりも非常に薄いので、上記揺らめき効果が伝統的印刷ユニットよりも発揮され、高品質が要求される印刷に対してこのシステムを不適切にする。
【００１１】
他のシステムが米国特許第３０８５２７５号に記載されており、ここではドクターブレードは、空圧膨張管からクランピングレールへ傾斜機構により伝達される力により、クランピングレールとドクタービーム間に固定される。このシステムにおいて、ドクターブレードの揺らめきの原因は保持機構それ自体ではなく、ドクターブレード上に設けられるガイドレールであり、このガイドレールはネジによりドクタービームへ締結される。更に、このシステムにおいて、ドクターブレードを変更するときに、ドクターブレードがレールへ締結され、このレールがドクターブレードと共にドクターブレード室から後方へ押し出される欠点がある。印刷ユニットは非常に長いので、印刷ユニットの他に多くの空間が必要とされる。他の欠点は、空圧が充分であるときにのみ印刷ユニットが満足できる働きをすることである。圧力が不十分であることにより、印刷ユニットはもはや満足できる作業をすることはできない。
【００１２】
異なる圧力システムが存在し、そこではドクターブレードはクランピングレールとドクタービーム管に揺らめき現象を伴うことなく挟持される。かかるシステムは米国特許第４９３８１３１号に記載されている。可撓性管の空圧膨張によって、クランピングレールはドクタービームに対して押圧され、それによりドクターブレードはその間に固定される。しかし、このシステムは、ドクターブレードが空圧供給不足のときには固定されないという大きな欠点を有する。このことは、回転印刷ローラによりドクターブレードが印刷ユニットのまわりの設備および人間に損傷の危険のある高速でドクターから投げ出されるので危害の危険が大きい。
【００１３】
本発明の目的は上述の欠点を伴わないドクターブレード用クランピング装置を有するドクターブレード室を提供することである。
【００１４】
この目的は請求項１の導入部に記載の種類、および特徴部に記載の特徴を有するドクターブレードシステムにより達成される。
【００１５】
かかるクランピング装置はドクターブレード、例えば凹刻印刷またはスクリーン加工印刷に使用する単一ドクターブレードを伴うドクターブレード室に、または例えば回転印刷用ドクターブレード室等２以上のドクターブレードを有するドクター装置に使用できる。
【００１６】
前記ドクターブレード室のドクタービームおよび前記クランピングレールの溝、好ましくはＴ形溝を設け、このＴ形溝に適宜形態の、好ましくＴ形のレール部を取り付ける設計とすることにより、前記クランピングレールと前記ドクタービーム間の連続的連結が、ネジ使用による上述の欠点を伴うことなく達成される。
【００１７】
前記ドクターブレードの挟持を達成するために、前記ドクタービームは溝を有し、この溝内に前記レール部が前記溝の底に対する方向において変位してよく、この変位により前記クランピングレールと前記ドクターブレード室間での前記ドクターブレードの挟持が影響を受ける。ネジ列の緩めおよび締めつけに関する問題は本装置により解消される。
【００１８】
実施に際して、前記レール部の変位は、例えば前記ドクターブレードの溝の内壁、即ち前記溝の底と反対の壁と、前記レール部との間に１つまたはそれ以上の波形バネが挿入され、前記波形バネが前記ドクタービームの溝の底に対する方向へ前記レール部を押圧する方法によって達成される。それにより、前記ドクターブレードは前記クランピングレールと前記ドクタービーム間に挟持される。
【００１９】
前記波形バネは、例えば管（ゴム管）として設計された弾性ポリマーまたはポリマーフォームにより構成されてよい。力の作用は、終局的に、前記クランピングレールと前記ドクタービーム間にドクターブレードが挟持されるように決定される。
【００２０】
挟持位置からドクターブレードを緩めるために、前記ドクタービーム内の前記レール部は前記ドクタービームの溝の底から離れる方向へ押される。このことは、前記ドクターブレード室内の変位機構により達成され、前記変位機構は作動により波形バネの力に反作用し、それにより前記ドクタービームの溝内の前記レール部を前記ドクタービームの溝の底から離れる方向へ押圧する。
【００２１】
実施に際し、このことは、前記レール部と前記ドクタービームの溝の底との間の内空間を高圧下の気体、例えば、加圧空気を充填する等により達成される。過剰圧力を前記内空間内に維持するために、前記ドクタービームの溝の両端部は特定設計のパッキングにより密封される。
【００２２】
他の可能性として、ゴム管等の弾性管を前記レール部と前記ドクタービームの溝の底との間の内空間に設置でき、前記弾性管は波形バネの力に反作用するために空圧または液圧により膨張させてよい。
【００２３】
他の可能性として、前記変位機構は機械的であって、前記レール部と前記ドクタービームの溝の底との間の内空間に設置された、その長軸を中心に回転可能な剛性楕円形管を含む。前記剛性楕円形管を回転させることにより前記レール部と前記ドクタービームの溝の底との間の距離が増大する。
【００２４】
本発明の他の特徴によれば、前記ドクターブレードを解放するために、例えば、加圧空気を前記内空間へ充填すること、または空圧もしくは液圧を使用することにより作動が行なわれると言う意味で、前記ドクターブレードの挟持は受動的であり、かつ前記変位機構は前記ドクターブレードがその挟持位置から解放されるときに能動的となる。この原理は、例えば、前記ドクターブレードが能動的工程により固定される液圧装置と比較して、有利であることから安全性を考慮して選択されている。能動的クランピング装置により、前記ドクターブレードは空圧または液圧の圧力不足により突然挟持されなくなる可能性があり、それにより剃刀のように鋭いドクターブレードは印刷ユニットから離脱しかつ印刷所を飛び出し、印刷ユニットのまわりの人々に危害を与える危険がある。
【００２５】
前記レール部の他の実施形態において、前記クランピングレールと係合する側は断面をフック形態に設計された縁部を有し、それにより前記クランピングレールは、空圧、液圧、または機械的変位機構により前記溝から押圧されるときに、前記レール部から自由に上昇する。この設計は、前記クランピングレールと前記ドクタービーム間の内空間が清掃されるときに時間のかかる取り外しおよび取り付けを回避できる点で有利である。
【００２６】
本発明の他の実施形態において、前記レール部は弾性であり、かつ前記レール部のそれ自体の弾性力が前記クランピングレールを前記ドクタービームへ向けて引っ張るように設計されていて、それにより前記ドクターブレードが挟持される。前記ドクターブレードが交換されるときに前記弾性レール部の作用に反作用するために、上述の変位機構は空圧または液圧である。ただし、この場合に機械的形態として、その長軸を中心に回転自在の剛性楕円形管の使用が可能である。
【００２７】
他の改良において、前記弾性レール部は、前記ドクタービームの溝の各端部からそのドクタービームの溝へ押圧する二部に構成されている。前記二部の長手は、前記ドクタービームの溝においてそれらの端部が相互に接触するように選択される。この設計は、前記弾性レール部が前記ドクタービームの溝内に設けられるときに前記ドクタービームの溝が封止されるように、二部の各々が一端部でシーリングを有する設計にできる点で有利である。このようにして、前記ドクタービームの溝の端部へのインキおよび塵の侵入は確実に阻止され、かつ高圧下で気体を前記内空間へ充填する設計の前記変位機構が、前記ドクターブレードの取り外し時に前記ドクタービームの溝の底から前記レール部を離れる方向へ押圧するために使用されるときに、過剰圧が前記レール部と前記ドクタービームの溝の底との間の内空間に確実に維持される。
【００２８】
本発明の他の実施形態において、前記ドクタービームはそのドクタービームに沿ってその一部に延在する内室を有する設計であり、前記クランピングレールは前記ドクターブレードを挟持するために前記内室の上に取り付けられる。この内室は前記クランピングレールに当接する弾性壁を有する。この弾性壁の弾性力は前記内室に向けて内方へその弾性壁を引っ張る。前記弾性壁は外側にビード部、例えばＴ形または鳩尾形であり、前記クランピングレール内の対応する設計の溝と係合する。更に、前記クランピング装置は、前記クランピングレールの溝と係合する前記弾性壁の縁部により前記クランピングレールを取り付けるように、作動により前記弾性壁を外方へ押圧する変位機構を含む。この変位機構の作動停止により、前記弾性壁は再度前記内壁に対して内方へ引っ張られ、それにより前記クランピングレールが前記ドクタービームへ向けて引っ張られ、かつ前記ドクターブレードが前記クランピングレールと前記ドクタービーム間に挟持される。
【００２９】
前記変位機構は、前記弾性内方力に反作用するために高圧下で気体または液体を前記内室へ充填することにより提供される。他の可能性は、前記内室に弾性管を設けることであり、この弾性管は空圧または液圧により膨張する。第三の可能性は、前記内室内でその長軸を中心に回転自在の剛性楕円形管を設けることであり、前記剛性楕円形管は回転によりその壁を外方へ押圧して前記クランピングレールをその挟持から解放するようにする。
【００３０】
内室を有する前記ドクタービームは、例えば金属または合成材料により前記ドクタービームを押出成形することにより形成できる。
【００３１】
選択的に、前記内室は溝を有する前記ドクタービームを形成し、その後に前記ドクタービームの溝の内方へ向かう弾性力を有する弾性レールで被覆することにより設けることができる。前記レールはその外側に前記クランピングレール内の対応する溝と係合するビード部、例えばＴ形または鳩尾形のビードを具備する。
【００３２】
本発明の他の実施形態において、前記クランピングレールは前記クランピングレールに沿って縁部を有する設計である。前記クランピングレールは、前記レールの縁部が前記ドクタービーム上に適宜形状で形成された溝と係合し、かつ前記クランピングレールがその縁部のまわりを傾斜するように前記ドクタービーム上に設けられる。
【００３３】
前記クランピングレールの第一部と前記ドクタービーム間には弾性楕円形管が設けられ、前記弾性楕円形管はその弾性力により前記第一部を前記ドクタービームから離す方向へ押圧し、それにより前記クランピングレールが前記縁部のまわりを傾斜し、かつ前記クランピングレールの第二部が前記ドクタービームを押圧し、それにより前記ドクターブレードを前記第二部と前記ドクタービーム間に挟持する。前記ドクターブレードをその挟持位置から解放するために前記弾性楕円形管は高圧下の気体または液体で充填されてよく、この高圧下の気体または液体は前記弾性楕円形管の扁率を小さくする、即ち、前記弾性楕円形管を更に丸くし、結果として前記クランピングレールの第一部と前記ドクタービーム間の距離を減少し、それにより前記ドクターブレードがもはや挟持されなくする。丸くされた前記弾性管は前記ドクターブレード室から容易に除去でき、その後に前記クランピングレールが更なる取り外しを必要とすることなく除去されるようにする。従って、この設計は、前記クランピングレールと前記ドクタービーム間の内空間を清掃する場合に非常に好適である。
【００３４】
前記クランピングレールの第一部と前記ドクタービーム間で空圧または液圧変形自在の管を使用する代わりに、剛性楕円形管が使用できる。この場合、前記クランピングレールの第一部と前記ドクタービーム間の距離はその長軸を中心にその剛性楕円形管を回転させることにより変化させることができる。好適には、ハンドルを使用できる。このハンドルが偶発的に作動し、結果として前記ドクターブレードを解放しないようにするために、前記剛性楕円形管を前記クランピングレールと前記ドクタービーム間の最大距離に相当する上方死点を越えて回転させる。例えば前記剛性楕円形管と前記クランピングレールまたは前記ドクタービームとの間のインキにより、摺動抵抗が殆ど無い場合であっても、前記剛性楕円形管はそれ自体不適切に回転せず、それにより前記ドクターブレードを解放するために前記死点を越えて前記剛性楕円形管を回転させるために積極的に力を加えるときにのみ前記ドクターブレードが解放する。
【００３５】
他の設計において、前記ハンドルは前記管上に設置され、かつ前記ドクターブレード室のドクタービームは孔を有し、前記ハンドルの不使用時には前記ハンドルは前記孔内に収容されてよい。この方法において、前記ハンドルが誤作動して前記ドクターブレードが緩むことは防止される。前記ハンドルが前記孔から不適切に摺動して飛び出さないために、前記孔は、例えば玉錠を有する。このことは、前記ドクターブレードを解放するための運動が実行されるまで前記ドクターブレードを確実に保持する。
【００３６】
前記ハンドルを有する管は、反対の２つの位置において、前記ドクターブレードの解放を可能にするが、前記ドクターブレード室からの前記管の押し出しを可能にする１つの位置においてのみ前記ドクターブレードを解放するように有利に設計できる。このようにして、前記ドクターブレードを解放する位置にある前記ハンドルを有する管が前記ドクターブレード室から不適切に摺動することはない。
【００３７】
他の実施形態において、前記剛性楕円形管上の前記ハンドルは、枢軸回転自在であると同時に前記管上を摺動自在であって、前記ハンドルが使用されないときには前記管それ自体を押すようにする。前記ハンドルを前記孔から不適切に摺動させないために、前記孔は、例えば玉錠を有する。
【００３８】
実用的理由から、前記管は二部構成され、前記ドクターブレード室へ前記二部の各端部から押し込まれる。
【００３９】
ハンドルを有する管を使用する設計は、好適には、代表例として１〜１．５ｍの相対的に短い幅のドクターブレード室用に使用され、他方、相対的に幅広いドクターブレード室用としては弾性管に関して使用可能な空圧または液圧を含む解決策を使用することが有利である。
【００４０】
前記設計の他の利点は、前記ドクターブレード室が、交換時にその印刷ユニットから取り外す必要のないことである。それにより、交換手続きは更に容易かつ迅速になる。
【００４１】
次に図面を参照して本発明を更に詳細に説明する。
【００４２】
図１は従来技術によるドクターブレード室１の一部の斜視図である。図解のために、ドクターブレード室１は、インキがドクターブレード室１から流失しないように通常は端部２を閉鎖する端ケーシングなしで示されている。図示されていない端ケーシングに加えて、ドクターブレード室１はドクタービーム３を有し、ドクタービーム３とクランピングレール５との間にドクターブレード４が締めつけられる構成である。クランピングレール５はネジボルト６によりドクタービーム３へ堅くネジ止めされる。ドクターブレード４と共にドクターブレード室のドクタービーム３はインキ室７の壁を構成する。２つのドクターブレード４間の開放チャンネル８はドクターブレード室１がインキ転写ローラに向けて調節されるときに閉鎖される。
【００４３】
図２は従来技術によるドクターブレード室１およびインキ転写ローラ９を通る断面である。インキ転写ローラ９の表面１０に接触する２つのドクターブレード４によって、インキ室７は広い範囲で閉鎖される。インキ転写ローラ９がその軸を中心に回転するときに、インキ室７内のインキ転写ローラの部１１はインキを採集し、印刷ユニット内の他のローラに付与する。従来技術によれば、クランピングレール５はネジボルトによりドクタービーム３へネジ止めされる。その装置によって、インキ転写ローラ９がインキ室７ヘ向かって移動する側のドクターブレード４はドクターブレード４用のブロッキングブレードまたはシーリングブレード１２と呼ばれ、かつインキ転写ローラ９がインキ室７から離れる方向へ移動する側でドクターブレード４用のワーキングブレード１３と呼ばれる。
【００４４】
図３は本発明による一実施形態におけるドクターブレード４を固定するためのドクタービーム３の一側を通る断面を示し、ここでは本装置において波形バネ２０が使用される。更に、この図において、可能設計における波形バネ２０の一部が示されている。ドクターブレード室のビーム３はＴ形溝１４を有する設計であり、かつクランピングレール５は主としてＴ形溝１５を有する設計である。後者の溝１５は同様にＴ形溝であってよい。レール部１６は、それが２つの溝１４および１５に適合するように形成され、ドクタービーム３およびクランピングレール５がレール部１６を取り付けることにより連結されるように設計される。レール部の１つのＴ形側１８とドクタービーム３の溝１４の内縁部１９−内縁部１９はドクタービーム３の溝１４内の底２１と反対の縁部である−との間の内空間１７に、波形バネ２０が設けられる（内空間１７には示されていないがこの図の長手部の右に示されている）。波形バネ２０はドクタービーム３の溝１４の内縁部１９、およびレール部１６の第一Ｔ形側１８を相互に押圧してレール部１６がその溝の底２１へ向かって変位するようにする。これにより、ドクタービーム３に対する力がクランピングレール５上に加わり、それによりドクターブレード４はその間に挟持される。バネ力に反作用しかつレール部１６を溝の底２１から離れる方向へ移動させることは、ドクターブレード４が交換のために弛緩されるときに好適であり、そのために本発明によるドクタービーム３は変位機構（図示せず）を有していてよく、それによりレール部１６とドクタービーム３の溝の底２１との間の内空間２２には高圧下のガスが充填される。このことは、ドクタービーム３の溝の内側のレール部１６のＴ形部がドクタービーム３の溝の側壁２３に対して首尾よく封止されて、レール部１６の第一Ｔ形側１８とドクタービーム３の溝１４の内縁部１９との間の内空間１７と比較して、過剰圧がレール部１６とドクタービーム３の溝の底２１との間の内空間２２に維持できることを必要とする。
【００４５】
選択的に、液体がこの目的に使用できる。液体の場合、特に、レール部１６とドクタービーム３の溝の底２１との間の内空間２２が、図４ａおよび４ｂに示されたように、バネ力に反作用するように高圧下で気体または液体が充填または空にされてよい流体管２４により充填される点で有利である。
【００４６】
図４ａおよび４ｂは、図３で説明したドクターブレード４を固定するために、本発明による一実施形態におけるドクタービーム３の一側を通る断面を示し、ここでは他の変位機構が提供されており、この変位機構はレール部１６とドクタービーム３の溝の底２1との間の内空間22に弾性流体管24を含み、弾性流体管24の内容積２５は高圧下で弾性流体管２４を膨張させかつバネ力に反作用する気体または液体で充填されてよく（図４ｂ参照）、それによりレール部１６はドクタービーム３の溝の底２１から離れる方向へ押圧される。それにより、ドクターブレード４はクランピングレール５とドクタービーム３間に挟持されることなく、かつドクターブレード室１から取り出される。
【００４７】
弾性管の他の形態として、ドクタービーム３の溝の底２１とレール部１６との間に設置された長軸を中心に回転自在である（図４ｃおよび４ｄ参照）剛性楕円形管２５ａが使用できる。楕円形管２５ａが回転することにより、レール部１６はドクタービーム３の溝の底２１から離れる方向に押圧され、それによりクランピングレール５は挟持運動から解放される。
【００４８】
図５は、ドクターブレード４を挟持するための本発明による他の実施形態におけるドクタービーム３の一側を通る断面を示す。この実施形態において、本装置における波形バネは弾性ポリマー管２６、例えば、ゴム管で置換されている。クランピング装置のこの形態において、図４で説明したようにバネ力に反作用する変位機構が使用できる。
【００４９】
図６はドクターブレードを固定するための本発明による他の実施形態におけるドクタービーム３の一側の一部を通る断面を示す。この実施形態において、本装置の波形バネはポリマーフォームによる弾性部２７に置換されている。この形態において、図４で説明したようにバネ力に反作用する変位機構が同様に使用できる。
【００５０】
図７は他の実施形態におけるドクタービーム３の一側の一部を通る断面を示し、ここでは本装置におけるクランピング装置の静的レール部１６および波形バネは弾性変形可能なレール部２８で置換されている。このレール部２８の弾性は、レール部２８とドクタービーム３の溝内の縁部１９との間の力が結果としてクランピングレール５がドクタービーム３を押圧し、それによりドクターブレード４をその間に挟持するようなものである。この形態において、図４で説明したようにバネ力に反作用するための変位機構が同様に使用できる。更に、弾性レール部２８は他の種々の形態で設計されてよい。
【００５１】
図８はドクターブレード４を固定するための、本発明による他の実施形態におけるドクタービーム３の一側の一部を通る断面を示す。クランピング装置のレール部１６は、クランピングレール５が変位機構によりドクタービーム３の溝の底２１から離れる方向で外方へ押圧されるときにレール部１６から自由に上昇するように設計された、クランピングレールと係合するフックに類似の断面を有する縁部２９を有する。この実施形態は、例えば、ドクターブレード４とクランピングレール５間、またはドクターブレード４とドクタービーム３間の内空間が清掃されるときに、クランピングレール５の取り付けおよび取り外しが容易かつ迅速に実行できる点で有利である。
【００５２】
図９はドクタービーム３に沿って内室３９を有する設計のドクタービーム３の一側を通る断面を示す。内室３９の一つの壁４０は弾性であり、図９ａに示されたように、壁４０が内方に湾曲するように内室３９に対して内方に向かう力をもつ。この弾性壁４０は、クランピングレール５内の対応する溝に係合するために、外側４１に例えばＴ形または鳩尾形のビード部４２を有する。ドクターブレード室は同様に変位機構を有していて、クランピングレール５は図９ｂに示されたように、弾性壁４０を変位機構の作動により外方へ押圧し、その後にドクタービーム３に対してドクターブレード４を挟持するようにして、取り付けられてよい。図９ｃに示されたように、変位機構の作動停止後に、クランピングレール５は内室３９へ向かう力によりドクタービーム３に向けて引っ張られ、それによりドクターブレード４はクランピングレール５とドクタービーム３間に挟持即ち締めつけられる。
【００５３】
ドクタービーム３は、例えばアルミニウムまたは合成材料により、押し出し成形されるドクタービーム３内に内室３９を有するように設計されてよい。
【００５４】
内室を有するドクタービーム３を設計する他の可能性として、ドクタービーム３を溝４３を有する設計にし、その後にその溝を、例えば合成材料または金属の、弾性レール４４で被覆する（図９ｄ参照）。弾性レール４４は、クランピングレール５と係合するビード部４２、例えばＴ形部を有する設計である。
【００５５】
図１０はドクターブレード用クランピング装置の他の実施形態を示す。
【００５６】
クランピングレール５は第一部３０、第二部３１、および縁部３２を有する環状片として設計されており、ドクタービーム３上に設置され、この目的から該ドクタービーム内に形成された溝３３と係合する。クランピングレール５の第一部３０とドクタービーム３間で弾性楕円形管３４は、クランピングレール５の第一部３０とドクタービーム３内の溝４５を相互から離すように押圧する力を有し、それにより縁部３２を介してその力がクランピングレール５の第二部３１へ伝達され、ドクタービーム３を押圧し、それによりクランピングレール５の第二部３１とドクタービーム３間にドクターブレード４を挟持する。弾性管３４の扁率は管３４に高圧下で気体または液体が充填されることにより小さくなる。扁率の減少はドクターブレード４上に作用する力の低下に影響する。管３４の扁率の充分な減少により、ドクターブレード４はクランピングレール５とドクタービーム３間にもはや挟持されることなく、ドクターブレード室から取り出される。管３４の扁率の更なる減少により、管３４をドクターブレード室から取り外すことが可能になる（図１０ｂ参照）。
【００５７】
図１１はドクターブレード４の保持機構の他の実施形態を示す。第一部３０、第二部３１、および縁部３２を有する環状片として設計されたクランピングレール５は縁部３２によりドクタービーム３上に設置され、この目的からドクタービーム３内に形成された溝３３と係合する（図１１ａ参照）。クランピングレール５の第一部３０とドクタービーム３内の溝４５間に、ハンドル３５を有する剛性楕円形管３４が設置される（図１１ｂ参照）。ドクターブレード４が挟持されるときに、ハンドル３５を有する管３４は、インキ転写ローラ９に対して、または更に好適であればその反対方向に回転させることにより、ドクターブレード４を締めつける。このクランピングレール５は、ドクターブレード４を挟持するまで管３４を回転させるだけでなく更にクランピングレール５の第二部３１とドクタービーム３間の最大距離の死点を通過する距離まで回転させるような程度の弾性を有する。それにより、ハンドル３５は、例えば、印刷ユニット内の振動により不適切に弛緩しないようにされる。印刷ユニット内の振動は特に管３４と溝４５間、および管３４とクランピングレール５の第一部３４間に摩擦が生じる場合に汚染インキにより減少する。このようにして、管３４をハンドル３５によりクランピング位置から約９０°の位置へ回転させる場合にはドクターブレード４を緩めるための運動が必要である（図１１ｃ参照）。
【００５８】
図１２はクランピングレール５とドクタービーム３の他の実施形態を示し、この両者間には図１１で説明した管と同様にその長軸を中心に回転自在の剛性楕円形管３４が設けられている。選択的に、図１０で説明したような可変楕円性を有する弾性管が使用できる。
【００５９】
図１３は図１１で説明した本発明の実施形態の他の改良例である。図１３ａにおいて、剛性楕円形管３４が取り付けられ、かつクランピングレール５とドクタービーム３間にいかなる力も与えず、かつドクターブレード４がクランピングレール５とドクタービーム３間に挟持されない位置へ回転している。ハンドル３５により、管３４はその長軸を中心に回転し、それによりクランピングレール５の第一部３０とドクタービーム３間の距離は、ドクターブレード４がクランピングレール５とドクタービーム３間に挟持されるように増大する（図１３ｂ参照）。他の実施形態において、ハンドル３５は、挟持位置において、ドクタービーム３内の適宜孔３６へ引っ込むように管３４上に摺動自在に設置される（図１３ｃ参照）。これにより、ハンドル３５が誤作動し、結果としてドクターブレード４を解放することは回避される。
【００６０】
図１３ａに示されたようなハンドル３５の位置は、ドクターブレード４を挟持位置から解放するときに、好適である。ハンドル３５を反対位置へ回転することによりドクターブレード４は同様に緩むが（図１３ｄ参照）、ハンドル３５を有する管３４を、同様に、ドクタービーム３から後方に押すことによりドクターブレード室から取り外される。
【００６１】
図１３ｅはハンドル３５を如何にしてドクタービーム３へ下降させるかを示す断面図である。孔３６が、ハンドル３５がドクタービーム３から不適切に摺動しないようにするために玉錠（ball lock)３７を具備してよい。
【００６２】
図１４は本発明の他の実施形態を示し、ここでは中空の楕円形管３４が、管３４それ自体へ引っ込むように枢軸回転自在および摺動自在に設置される。図１４ａは、管３４から引出されてドクタービーム３に対してクランピングレール５を挟持する位置になるときのハンドル３５の図である。ハンドル３５と管３４との間には、ハンドル３５が管３４へ変位するようにするために管３４と平行になる位置へハンドル３５が軸回転するように設計された枢軸回転自在関節部３８がある。図１４ｂは図１４ａと同一状況をドクタービーム３の背後側から見たもう一つの斜視図である。図１４ｃは管３４へ引っ込んだハンドル３５を示す。玉錠３７はハンドル３５が管３４から不本意に摺動するのを防止する。
【図面の簡単な説明】
【図１】  従来技術によるドクターブレード室の一部の斜視図を示す。
【図２】  従来技術によるドクターブレード室の断面を示す。
【図３】  本発明による一実施形態のドクタービームの一部の断面を示し、波形バネが本装置に使用されている。
【図４】  本発明による一実施形態におけるドクタービームの一部の断面を示し、変位機構においてバネ力に反作用するために空圧または液圧により膨張する弾性管が使用され、または長軸を中心に回転自在の楕円形管が使用されている。
【図５】  本発明による一実施形態におけるドクタービームの断面を示し、波形バネの代わりに弾性管が本装置に使用されている。
【図６】  本発明による一実施形態におけるドクタービームの断面を示し、本装置において波形バネの代わりにポリマーフォームが使用されている。
【図７】  本発明による一実施形態のドクタービームの断面を示し、弾性レール部が本装置に使用されている。
【図８】  本発明による一実施形態におけるドクタービームの断面を示し、ここでは弾性レール部が形成されていてクランピングレールが容易な方法によりドクターブレード室から自由に上昇する。
【図９】  本発明による一実施形態のドクタービームの断面を示し、ここではその内室がクランピングレールと係合するためのビード部を有する弾性壁を有する。
【図１０】  本発明による一実施形態におけるドクタービームの断面を示し、ここではクランピングレールが環状片として形成され、かつ弾性楕円形管がクランピング装置の一部を形成している。
【図１１】  本発明の第二実施形態を示し、ここではクランピングレールは環状片として設計されかつ剛性楕円形管がクランピング装置の一部を形成している。
【図１２】  本発明の他の実施形態を示し、ここではクランピングレールは環状片として形成され、かつ楕円形管はクランピング装置の一部を形成している。
【図１３】  本発明の他の実施形態を示し、ここでは弾性管上のハンドルが摺動自在に設置されていてドクタービーム内の孔へ引っ込むようになっている。
【図１４】  本発明の他の実施形態を示し、ここでは楕円形管上のハンドルが枢軸回転自在かつ摺動自在に設置されていて、楕円形管それ自体へ引っ込むようになっている。
【符号の説明】
１…ドクターブレード室
２…端部
３…ドクタービーム
４…ドクターブレード
５…クランピングレール
６…ネジボルト
７…インキ室
８…ドクタービームの開放チャンネル
９…インキ転写ローラ
１０…インキ転写ローラの表面
１１…インキ室内側のインキ転写ローラの部
１２…ブロッキイングブレードまたはシーリングブレード
１３…ワーキングブレード
１４…ドクターブレード室のドクタービーム内の溝
１５…クランピングレール内の溝
１６…レール部
１７…レール部の一側とドクタービームの溝の内縁部間の内空間
１８…ドクタービームの溝内に設けるレール部の一側
１９…ドクタービームの溝の内縁部
２０…波形バネ
２１…ドクタービームの溝の底
２２…レール部とドクタービームの溝の底間の内空間
２３…ドクタービームの溝の側壁
２４…レール部とドクタービームの溝の底間の内空間内の流体管
２５…弾性管の内容積
２５ａ…長軸を中心に回転自在の管
２６…弾性ポリマー管（ゴム管）
２７…ポリマーフォームの弾性部
２８…弾性変形自在レール部
２９…フック
３０…クランピングレールの第一部
３１…クランピングレールの第二部
３２…クランピングレールの縁部
３３…ドクタービームの傾斜溝
３４…楕円形管
３５…ハンドル
３６…ドクタービーム内の孔
３７…玉錠
３８…ハンドルと管との間の軸回転自在関節部
３９…ドクタービームの内室
４０…ドクタービーム室の弾性壁
４１…弾性壁の外側
４２…弾性壁の外側のビード部
４３…ドクタービーム内の溝
４４…ドクタービームの溝内の弾性レール
４５…ドクタービーム内の溝
【図１】
0004921661.tif 000002
【図２】
0004921661.tif 000003
【図３】
0004921661.tif 000004
【図４ａ】
0004921661.tif 000005
【図４ｂ】
0004921661.tif 000006
【図４ｃ】
0004921661.tif 000007
【図４ｄ】
0004921661.tif 000008
【図５】
0004921661.tif 000009
【図６】
0004921661.tif 000010
【図７】
0004921661.tif 000011
【図８】
0004921661.tif 000012
【図９ａ】
0004921661.tif 000013
【図９ｂ】
0004921661.tif 000014
【図９ｃ】
0004921661.tif 000015
【図９ｄ】
0004921661.tif 000016
【図１０ａ】
0004921661.tif 000017
【図１０ｂ】
0004921661.tif 000018
【図１１ａ】
0004921661.tif 000019
【図１１ｂ】
0004921661.tif 000020
【図１１ｃ】
0004921661.tif 000021
【図１２】
0004921661.tif 000022
【図１３ａ】
0004921661.tif 000023
【図１３ｂ】
0004921661.tif 000024
【図１３ｃ】
0004921661.tif 000025
【図１３ｄ】
0004921661.tif 000026
【図１３ｅ】
0004921661.tif 000027
【図１４ａ】
0004921661.tif 000028
【図１４ｂ】
0004921661.tif 000029
【図１４ｃ】
0004921661.tif 000030